(57)【要約】【課題】軸流ファンモータにおいて、遠心流れの逆流を防ぎ、低騒音で、高効率なファンモータを提供する。【解決手段】本発明は、上記課題を解決するために、ケーシングと、前記ケーシングとともに一体成形されたモータ部と、放射状に配置した複数の羽根を備え前記モータ部に軸が回転可能に保持されたファンとからなる軸流ファンモータにおいて、前記ケーシングの内周面と前記羽根の先端との間に環状の隔壁を設けるとともに、前記羽根の遠心方向に発生する遠心流れを流す迂回口を備え、前記ケーシングの内周面と前記隔壁との間を、前記遠心流れを流すバイパスとしたことを特徴とする遠心流れ用バイパス付ファンモータの構成とした。【選択図】図１
2015036510.tif 000002
【特許請求の範囲】
【請求項１】
ケーシングと、前記ケーシングとともに一体成形されたモータ部と、放射状に配置した複数の羽根を備え前記モータ部に軸が回転可能に保持されたファンとからなる軸流ファンモータにおいて、
前記ケーシングの内周面と前記羽根の先端との間に環状の隔壁を設けるとともに、前記羽根の遠心方向に発生する遠心流れを流す迂回口を備え、前記ケーシングの内周面と前記隔壁との間を、前記遠心流れを流すバイパスとしたことを特徴とする遠心流れ用バイパス付ファンモータ。
【請求項２】
前記迂回口は、前記ファンの羽根の軸方向に直交する断面において、前記羽根の略中心から前記羽根端部手前位置まで開口していることを特徴とする請求項１に記載の遠心流れ用バイパス付ファンモータ。
【請求項３】
前記バイパスを流れるバイパス流の吐出口は、主流の吹出口方向に設けられ、吐出した前記バイパス流が前記主流の外周を覆い、前記主流の拡散を抑制することを特徴とする請求項１又は請求項２に記載の遠心流れ用バイパス付ファンモータ。
【請求項４】
前記バイパスは、前記迂回口から前記吐出口までの形状が断面略Ｌ字状であって、前記遠心流れが衝突する前記ケーシングの内周面の屈曲部が、軸方向の断面視で外に凸の湾曲であることを特徴とする請求項１〜請求項３の何れか１項に記載の遠心流れ用バイパス付ファンモータ。
【請求項５】
前記迂回口端部から前記吸引口付近までの前記ケーシングの内径が、前記隔壁の内周面と同径であることを特徴とする請求項１〜請求項４の何れか１項に記載の遠心流れ用バイパス付ファンモータ。
【請求項６】
前記ケーシング及び前記羽根の素材を、カーボンファイバー入り樹脂としたことを特徴とする請求項１〜請求項５の何れか１項に記載の遠心流れ用バイパス付ファンモータ。
【請求項７】
ケーシングと、前記ケーシングに嵌められる環状隔壁と、前記環状隔壁に保持されたモータ部と、放射状に複数の配置した羽根を備え前記モータ部に軸が回転可能に保持されたファンとからなる軸流ファンモータにおいて、
前記ケーシングの内周面と前記環状隔壁の間を、前記羽根の遠心方向に発生する遠心流れを流すバイパスとしたことを特徴とする遠心流れ用バイパス付ファンモータ。
【請求項８】
請求項７に記載の遠心流れ用バイパス付ファンモータの前記ケーシング内面に溝が設けられ、前記環状隔壁の外周に前記溝に挿入される突条が設けられた遠心流れ用バイパス付ファンモータの製造方法であって、
前記溝と前記突条との間に遊び空間を備え、前記ファンを保持した環状隔壁の位置決めを行い、前記遊び空気に接着剤を流し込み、前記ケーシングと前記環状隔壁を固定するとともに、前記ファンの先端と前記ケーシングの間のチップクリアランス精度を上げたことを特徴とする遠心流れ用バイパス付ファンモータの製造方法。
【請求項９】
前記位置決めを、所望のチップクリアランスの厚み有する管状治具を用い、前記ケーシングと前記ファンの間に前記管状治具を嵌めた後に、前記接着剤によって、前記ケーシングの溝と前記環状隔壁の突条を固定したことを特徴とする請求項８に記載の遠心流れ用バイパス付ファンモータの製造方法。
【発明の詳細な説明】
【技術分野】
【０００１】
本発明は、軸流ファンモータにおいて、遠心流れの逆流を防ぎ、低騒音で、高効率の遠心流れ用バイパス付ファンモータに関する。
【背景技術】
【０００２】
軸流式の従来のファンモータ２１は、図８に示すように、ケーシング２２と、ケーシング２２の端部から伸びる支持軸２２ｃに保持される底面２２ａに一体成形されたモータ部３と、モータ部３に軸４ｃが回転可能に保持されたファン４とからなる。図９（Ｂ）、（Ｃ）に示すように、ファン４が回転することで、ファン４の軸４ｃ方向に、即ちケーシング２２の吸引口２２ｄ側から吹出口２２ｅ方向に空気の流れ（主流５）を発生させる。
【０００３】
他方、図９（Ｂ）、（Ｃ）に示すように、主流５とは別に、羽根４ａの根本から先端４ｂ方向、即ち水平方向（遠心方向）にも空気の流れ（遠心流れ５ａ）が発生する。そして、図１０に示すように、遠心流れ５ａは、ケーシング２２の内周面２２ｂに衝突し、ケーシング２２の吸引口２２ｄ側及び吹出口２２ｅの両方向への流れ（両矢印）となり、上流側（吸引口２２ｄ側）への流れは、主流５と逆向きの流れ（逆流５ｂ）になり、遠心流れ５ａが渦の原因となる。この遠心流れ５ａが、羽根４ａの先端４ｂ部分の圧力を上げ、従来のファンモータ２１では騒音の原因として知られている（特許文献１段落０００５等）。
【０００４】
特許文献２には、騒音防止のため、乱流（遠心流れ）をケーシング側面の細孔から逃がす軸流ファンモータが開示されている。
【０００５】
しかしながら、側面から遠心流れ５ａを逃すことで、騒音は低減されたとして、送風効率は低下してしまう。
【０００６】
軸流ファンモータの送風効率は、チップクリアランス２１ａの幅に強く影響を受ける。チップクリアランス２１ａとは、図１１に示すように、ファン４の羽根４ａの先端４ｂと、ケーシング２２の内周面２２ｂとの隙間である。チップクリアランス２１ａが狭いほど、送風効率は高い。
【０００７】
しかしながら、チップクリアランス２１ａを狭めることは容易でない。部品の成形誤差、組み立て精度に依存するためである。
【０００８】
従来のファンモータ２１は、図１２に示すように、部品の誤差、組み立て精度を考慮して、ファン４の羽根４ａが当たらないように、チップクリアランス２１ａは、広目に設計される（図１２（Ａ））。部品誤差、組み立て誤差により、結果的に、図１２（Ｂ）のように、チップクリアランスの幅は不均一になる。
【先行技術文献】
【特許文献】
【０００９】
【特許文献１】特開２００９−１９７６５８号公報
【特許文献２】特開２００７−２１８１５０号公報
【発明の概要】
【発明が解決しようとする課題】
【００１０】
そこで、本発明は、軸流ファンモータにおいて、遠心流れの逆流を防ぎ、低騒音で、高効率なファンモータを提供することを目的とする。
【課題を解決するための手段】
【００１１】
本発明は、上記の課題を解決するために、
（１）
ケーシングと、前記ケーシングとともに一体成形されたモータ部と、放射状に配置した複数の羽根を備え前記モータ部に軸が回転可能に保持されたファンとからなる軸流ファンモータにおいて、
前記ケーシングの内周面と前記羽根の先端との間に環状の隔壁を設けるとともに、前記羽根の遠心方向に発生する遠心流れを流す迂回口を備え、前記ケーシングの内周面と前記隔壁との間を、前記遠心流れを流すバイパスとしたことを特徴とする遠心流れ用バイパス付ファンモータの構成とした。
（２）
前記迂回口は、前記ファンの羽根の軸方向に直交する断面において、前記羽根の略中心から前記羽根端部手前位置まで開口していることを特徴とする（１）に記載の遠心流れ用バイパス付ファンモータの構成とした。
（３）
前記バイパスを流れるバイパス流の吐出口は、主流の吹出口方向に設けられ、吐出した前記バイパス流が前記主流の外周を覆い、前記主流の拡散を抑制することを特徴とする（１）又は（２）に記載の遠心流れ用バイパス付ファンモータの構成とした。
（４）
前記バイパスは、前記迂回口から前記吐出口までの形状が断面略Ｌ字状であって、前記遠心流れが衝突する前記ケーシングの内周面の屈曲部が、軸方向の断面視で外に凸の湾曲であることを特徴とする（１）〜（３）の何れかに記載の遠心流れ用バイパス付ファンモータの構成とした。
（５）
前記迂回口端部から前記吸引口付近までの前記ケーシングの内径が、前記隔壁の内周面と同径であることを特徴とする（１）〜（４）の何れかに記載の遠心流れ用バイパス付ファンモータの構成とした。
（６）
前記ケーシング及び前記羽根の素材を、カーボンファイバー入り樹脂としたことを特徴とする（１）〜（５）の何れかに記載の遠心流れ用バイパス付ファンモータの構成とした。
（７）
ケーシングと、前記ケーシングに嵌められる環状隔壁と、前記環状隔壁に保持されたモータ部と、放射状に複数の配置した羽根を備え前記モータ部に軸が回転可能に保持されたファンとからなる軸流ファンモータにおいて、
前記ケーシングの内周面と前記環状隔壁の間を、前記羽根の遠心方向に発生する遠心流れを流すバイパスとしたことを特徴とする遠心流れ用バイパス付ファンモータの構成とした。
（８）
（７）に記載の遠心流れ用バイパス付ファンモータの前記ケーシング内面に溝が設けられ、前記環状隔壁の外周に前記溝に挿入される突条が設けられた遠心流れ用バイパス付ファンモータの製造方法であって、
前記溝と前記突条との間に遊び空間を備え、前記ファンを保持した環状隔壁の位置決めを行い、前記遊び空気に接着剤を流し込み、前記ケーシングと前記環状隔壁を固定するとともに、前記ファンの先端と前記ケーシングの間のチップクリアランス精度を上げたことを特徴とする遠心流れ用バイパス付ファンモータの製造方法の構成とした。
（９）
前記位置決めを、所望のチップクリアランスの厚み有する管状治具を用い、前記ケーシングと前記ファンの間に前記管状治具を嵌めた後に、前記接着剤によって、前記ケーシングの溝と前記環状隔壁の突条を固定したことを特徴とする（７）に記載の遠心流れ用バイパス付ファンモータの製造方法の構成とした。
【発明の効果】
【００１２】
本発明は、上記構成であるので、以下の効果を発揮する。即ち、ケーシングの内周面に主流と隔離して遠心流れを流すバイパスを備えることで、羽根先端部分での乱流を低減させ、ファンモータの騒音を低減することができる。さらに、遠心流れを主流から迂回させて主流外周より主流の流れ方向に流すことで、主流の拡散を防止し、送風効率を高めることができる。
【００１３】
遠心流れの迂回口を、ファンの羽根の軸方向の断面において、ファン略中心からファン端部手前位置までに、特定することで、効率的に遠心流れをバイパス流すことができ、ファンモータの騒音を一層抑制することができる。
【００１４】
さらに、バイパスを、断面略Ｌ字状とし、前記遠心流れが衝突するケーシングの内周面の屈曲部を、軸方向の断面視で外に凸の湾曲状とすることで、バイパス流の流れを一層スムーズにし、遠心流れを効率的にバイパスに流すことができ、ファンモータの騒音を一層抑制することができる。
【００１５】
ケーシングから、モータ部を別体とし、モータ部と隔壁を一体とすることで、組み立て精度を向上させることが容易にできる。
【００１６】
具体的には、ケーシングと、ケーシングに嵌められる環状隔壁及び環状隔壁に保持されたモータ部とを別体として、環状隔壁、モータ部及びファンを位置決めすることで、組み立て精度を高め、チップクリアランス幅を一層設計幅に近づけることができ、チップクリアランスの狭小化を可能にし、ひいては騒音低減、送風効率を高めることができる。その際、設計値のチップクリアランス幅の管状治具を用いることで、前記位置決めが容易で、管状治具で位置決めした後、ケーシングと環状隔壁を固定することで、チップクリアランスの精度、ファンモータの組み立て精度を高めることができる。結果的に、低騒音、送風効率の高い、モータファンを提供することができる。
【図面の簡単な説明】
【００１７】
【図１】本発明である遠心流れ用バイパス付ファンモータの第一の実施形態の説明図である。（Ａ）は正面斜視図、（Ｂ）は正面斜視部分断面図、（Ｃ）は部分縦断面図である。
【図２】図１の本発明の使用時のバイパス部の拡大縦断面図である。
【図３】本発明である遠心流れ用バイパス付ファンモータの第二の実施形態の説明図である。（Ａ）は背面斜視図分解図、（Ｂ）は背面斜視図、（Ｃ）は分解部分縦断面図、（Ｄ）は部分縦断面図、（Ｅ）は（Ｄ）破線枠内の拡大図である。
【図４】ファンを回転可能に保持する環状隔壁付モータ部の説明図である。（Ａ）は背面斜視図、（Ｂ）は正面斜視図、（Ｃ）は部分縦断面図である。
【図５】本発明である遠心流れ用バイパス付ファンモータの第二の実施形態の説明図である。（Ａ）は背面図、（Ｂ）は（Ａ）の破線枠内の拡大図、（Ｃ）は組み立て誤差の説明図である。
【図６】本発明である遠心流れ用バイパス付ファンモータの第二の実施形態の組み立て方法の説明図である。（Ａ）はケーシングとファンを軸支した環状隔壁付モータ部の組み立て物と、管状治具の斜視図である。（Ｂ）はケーシングとファンを軸支した環状隔壁付モータ部の組み立て物のチップクリアランスに管状治具を嵌め、ファンを軸支した環状隔壁付モータ部のケーシング内での位置決めをしたときの斜視図、（Ｃ）は（Ｂ）のときの部分縦断面図である。
【図７】本発明である遠心流れ用バイパス付ファンモータの第二の実施形態の組み立て方法の説明図である。（Ａ）は、図６（Ｂ）のときの背面斜視部分縦断面図である。（Ｂ）は、組み立てられた本発明である遠心流れ用バイパス付ファンモータの第二の実施形態の背面斜視図である。
【図８】従来のファンモータの説明図である。（Ａ）は正面斜視図、（Ｂ）は正面斜視部分縦断面図、（Ｃ）は縦断面図である。
【図９】ファンの回転に伴う、ファンモータにおける主流及び遠心方向の遠心流れの説明図である。（Ａ）はファン正面図、（Ｂ）はファン背面斜視図、（Ｃ）はファン側面図である。
【図１０】図８（Ｃ）の従来のファンモータにおける使用状態での主流及び遠心流れの説明図（拡大縦断面）である。
【図１１】従来のファンモータのチップクリアランスの説明図である。（Ａ）は従来のファンモータの正面図、（Ｂ）は（Ａ）の破線枠内の拡大図である。
【図１２】組み立て誤差によるチップクリアランスの変動の説明図である。（Ａ）は設計時のチップクリアランス、（Ｂ）は、部品誤差、組み立てによるチップクリアランスの状態を示す。
【発明を実施するための形態】
【００１８】
以下、添付の図面を参照し、本発明の実施の形態について、詳細に説明する。なお、本発明は下記実施例に限定されるものではない。
【実施例１】
【００１９】
図１、２に示すように、第一の実施形態である遠心流れ用バイパス付ファンモータ１は、ケーシング２と、モータ部３と、ファン４と、バイパス７と、からなり、遠心流れ５ａによる逆流、乱流を低減させ、モータファンの低騒音及び高効率化を実現する。
【００２０】
ケーシング２は、空気の吸引口２ｄ及び吹出口２ｅを備えた箱型ケースで、内部空間にはファン４が位置する。吹出口２ｅ側の端部から中央部に伸びる支持軸２ｃに底面２ａが連設され、底面２ａにはモータ部３が一体に成形される。
【００２１】
迂回口７ａ端部から吸引口２ｄ付近までのケーシング２の内径は、隔壁６の内周面６ｂと同径とした。
【００２２】
モータ部３は、ケーシング２とともに一体成形され、ファン４の軸４ｃを回転可能に保持する。
【００２３】
ファン４は、筒部４ｄと、筒部４ｄに放射状に連設された複数の羽根４ａと、筒部４ｄ中央の底部に設けられた軸４ｃとからなる。羽根４ａの先端４ｂがケーシング２の隔壁６に触れないように、軸４ｃが回転可能に、軸４ｃ部でモータ部３に保持される。ファン４が回転することで、空気をケーシング２の吸引口２ｄから吹出口２ｅに主流５として流す。ファン４の羽根４ａの先端４ｂとケーシング２の内周面２ａとの隙間が、チップクリアランス１ａとなる。なお、ファン４、特に羽根４ａ及びケーシング２をカーボンファイバー入り樹脂とすることが好ましい。ファンモータが使用させる環境は高温になることがよくあり、カーボンファイバー入り樹脂であれば、ケーシング２及び羽根４ａの熱膨張による変形を防ぎ、チップクリアランス１ａの精度を安定に維持することができる。
【００２４】
隔壁６は、ケーシング２に連結部６ａを介して一体に連設（成形）され、隔壁６とケーシング２の内周面２ｂとでバイパス７を形成する。
【００２５】
バイパス７は、ケーシング２の内周面２ｂと羽根４ａの先端４ｂとの間に環状の隔壁６を設けることで形成され、ケーシング２の内周面２ｂと隔壁６との間に遠心流れ５ａを流す。
【００２６】
バイパス７には、羽根４ａの遠心方向に発生する遠心流れ５ａを流す迂回口７ａと遠心流れ５ａを排出する吐出口７ｂを備える。迂回口７ａは、ファン４の羽根４ａの軸４ｃに直交する断面において、羽根４ａの略中心から羽根４ａ端部手前位置まで、隔壁６端部に全周わたり開口している。
【００２７】
そして、迂回口７ａから吐出口７ｂまでのバイパス７の形状は断面略Ｌ字状であって、遠心流れ５ａが衝突するケーシング２の内周面２ｂの屈曲部は、主流５方向の断面視で外に凸の湾曲２ｆである。
【００２８】
さらに、バイパス７を流れるバイパス流７ｃの吐出口７ｂは、主流５の吹出口２ｅ方向に設けられ、吐出したバイパス流７ｃが主流５の外周を覆い、主流５の拡散を抑制する。
【実施例２】
【００２９】
図３、４に示すように、第二の実施形態である遠心流れ用バイパス付ファンモータ１１は、ケーシング１２と、環状隔壁１３ｄと、モータ部１３ｂと、ファン４と、バイパス１７と、からなり、遠心流れ５ａによる逆流５ｂ、乱流を低減させ、モータファンの低騒音及び高効率化を実現する。
【００３０】
ケーシング１２は、空気の吸引口１２ｄ及び吹出口１２ｅを備えた箱型ケースで、内部区間１２ｆにはファン４を回転可能に保持する環状隔壁付モータ部１３が位置する。ケーシング１２の内周面１２ｂには、軸方向（吸引口１２ｄと吹出口１２ｅを結ぶ方向）に、複数の溝１２ａが穿設される。
【００３１】
迂回口１７ａ端部から吸引口１２ｄ付近までのケーシング１２の内径は、環状隔壁１３ｄの内周面１３ｆと同径とした。
【００３２】
環状隔壁付モータ部１３は、環状隔壁１３ｄとモータ部１３ｂとからなる。環状隔壁１３ｄとモータ部１３ｂは、一体成形される。
【００３３】
環状隔壁１３ｄは、図４に示すように、環状部と、環状部の外周の軸方向の線状の突条１３ｅとからなり、突条１３ｅは溝１２ａに遊び１９空間を伴い噛み合う。
【００３４】
モータ部１３は、環状隔壁１３ｄに保持され、ファン４の軸４ｃを回転可能に保持する。吹出口１２ｅ側の端部から中央部に伸びる支持軸１３ｃに底面１３ａが連設され、底面１３ａにはモータ部１３ｂが一体に成形される。
【００３５】
ファン４は、筒部４ｄと、筒部４ｄに放射状に連設された複数の羽根４ａと、筒部４ｄ中央の底部に設けられた軸４ｃとからなる。羽根４ａの先端４ｂが環状隔壁１３ｄに触れないように、軸４ｃが回転可能に、軸４ｃ部でモータ部１３に保持される。ファン４が回転することで、空気をケーシング２の吸引口１２ｄから吹出口１２ｅに主流５として流す。ケーシング１２の内周面１２ｂと羽根４ａの先端４ｂとの隙間が、チップクリアランス１１ａとなる（図３（Ｅ））。
【００３６】
バイパス１７は、環状隔壁１３ｄの外周面１３ｇとケーシング１２の内周面との間に形成され、羽根４ａの遠心方向に発生する遠心流れ５ａを流す。
【００３７】
バイパス１７には、羽根４ａの遠心方向に発生する遠心流れ５ａを取り込む迂回口１７ａと遠心流れ５ａをバイパス流１７ｃとして排出する吐出口１７ｂを備える。迂回口１７ａは、ファン４の羽根４ａの軸４ｃ方向に直交する断面において、羽根４ａの略中心から羽根４ａ端部手前位置まで、環状隔壁１３ｄ端部に全周わたり開口している。環状隔壁１３ｄは、迂回口１７ａを形成できる幅としている。
【００３８】
そして、迂回口１７ａから吐出口１７ｂまでのバイパス１７の形状は、断面略Ｌ字状であって、遠心流れ５ａが衝突するケーシング１２の内周面１２ｂの屈曲部は、主流５方向の断面視で外に凸の湾曲１２ｃである。
【００３９】
さらに、バイパス１７を流れるバイパス流１７ｃの吐出口１７ｂは、主流５の吹出口１２ｅ方向に設けられ、吐出したバイパス流１７ｃが主流５の外周を覆い、主流５の拡散を抑制する。
【００４０】
次に、図５−７を参照して、遠心流れ用バイパス付ファンモータの製造方法について、詳しく述べる。当該方法であれば、遠心流れ用バイパス付ファンモータ１１の組み立て精度を上げ、チップクリアランス１１ａを従来になく狭く安定的に製造することができる。
【００４１】
図５（Ａ）に示すように、ケーシング１２とファン４を回転可能に保持した環状隔壁付モータ部１３を、ケーシング１２の溝１２ａと環状隔壁１３ｄを噛み合わせて嵌合させる。このとき、図５（Ｂ）に示すように、溝１２ａと突条１３ｅとには、空間（遊び１９）を備える。このような遊び１９があることで、図５（Ｃ）に示すように、ファン４は、固定されず、羽根４ａが回転し先端４ｂで描く軌跡（破線）の中心は、ケーシングの空間の中心と一致するように定まらない。
【００４２】
そこで、図６（Ａ）に示す管状治具１８を、図６（Ｂ）、（Ｃ）に示すように、ケーシング１２の吸引口１２ｄ側に嵌め、管状治具１８の中空部１８ａにファン４を位置させる。
【００４３】
管状治具１８の内径はファン４の羽根４ａの先端４ｂが描く軌跡と同径とする。また、管状治具１８の外径は、ケーシング１２の内径と同径としてある。即ち、管状治具１８の厚み１８ｂ（図６（Ｃ））が、チップクリアランス１１ａとなる。
【００４４】
したがって、管状治具１８をケーシング１２とファン４との間に嵌めこむことで、環状隔壁１３ｄ及ファン４の中心をケーシング１２の空間の中心に一致させることができる。その後、環状隔壁１３ｄをケーシング１２に接着させれば、精度よくモータファンを組み立てることができる。環状隔壁１３ｄとケーシング１２を接着するには、接着剤を環状隔壁１３ｄの突条１３ｅとケーシング１２の溝１２ａとの空間（遊び１９部分）に流し込めばよい。
【００４５】
このようにして、遠心流れ用バイパス付ファンモータ１１を製造すれば、バイパス１７を形成しつつ、組み立て精度を高め、チップクリアランス１１ａを均一かつ安定的に製造することができる。したがって、チップクリアランス１１ａを従来になく狭く、例えば０．１ｍｍ等に、することができる（図７（Ｃ））。その結果、モータファンの低騒音化が容易かつ安定的に可能となる。さらに、バイパス１７を備えるため送風効率を極めて高いものとすることができる（図７（Ｂ）。
【符号の説明】
【００４６】
１      遠心流れ用バイパス付ファンモータ
１ａ    チップクリアランス
２      ケーシング
２ａ    底面
２ｂ    内周面
２ｃ    支持軸
２ｄ    吸引口
２ｅ    吹出口
２ｆ    湾曲
３      モータ部
４      ファン
４ａ    羽根
４ｂ    先端
４ｃ    軸
４ｄ    筒部
５      主流
５ａ    遠心流れ
５ｂ    逆流
６      隔壁
６ａ    連結部
６ｂ    内周面
７      バイパス
７ａ    迂回口
７ｂ    吐出口
７ｃ    バイパス流    
１１    遠心流れ用バイパス付ファンモータ
１１ａ  チップクリアランス
１２    ケーシング
１２ａ  溝
１２ｂ  内周面  
１２ｃ  湾曲
１２ｄ  吸引口
１２ｅ  吹出口
１２ｆ  空間
１３    環状隔壁付モータ部
１３ａ  底面
１３ｂ  モータ部
１３ｃ  支持軸
１３ｄ  環状隔壁
１３ｅ  突条
１３ｆ  内周面
１３ｇ  外周面
１７    バイパス
１７ａ  迂回口
１７ｂ  吐出口
１７ｃ  バイパス流
１８    管状治具
１８ａ  中空部
１８ｂ  厚み
１９    遊び
２１    従来のファンモータ
２１ａ  チップクリアランス
２２    ケーシング
２２ａ  底面
２２ｂ  内周面
２２ｃ  支持軸
２２ｄ  吸引口
２２ｅ  吹出口
【図１】
2015036510.tif 000003
【図２】
2015036510.tif 000004
【図３】
2015036510.tif 000005
【図４】
2015036510.tif 000006
【図５】
2015036510.tif 000007
【図６】
2015036510.tif 000008
【図７】
2015036510.tif 000009
【図８】
2015036510.tif 000010
【図９】
2015036510.tif 000011
【図１０】
2015036510.tif 000012
【図１１】
2015036510.tif 000013
【図１２】
2015036510.tif 000014